(57)【要約】【課題】  本発明は、店舗等の売上金管理システムの改善し、店舗のＰＯＳレジスターに紙幣硬貨自動入出金機と監視カメラを連動し、さらに店舗と管理センターを連携して、店舗側の現金の保管、警備及び回収するための売上金を安全確実に管理しようとするものである。【解決手段】  店舗のＰＯＳレジスター２と紙幣硬貨自動入出金機（ＡＴＭ）３と監視カメラ４とが制御手段５で接続され、売上登録後の精算時にＰＯＳレジスター２からの指示で制御手段５を通して紙幣硬貨自動入出金機（ＡＴＭ）３で支払および釣銭授受の入出金処理ができ、そのＰＯＳレジスター２の売上データと紙幣硬貨自動入出金機３の入出金データ及び動作データ、監視カメラ４の映像データが制御手段５に保管され、かつ通信手段６から通信回線７を通じて、管理センター８に店舗機器の識別情報、POSレジスター２の売上データ、紙幣硬貨自動入出金機（ＡＴＭ）の入出金データと動作データ、映像データ、機器の状態データが送信されることを特徴とする現金管理システムである。【選択図】  図１
2006155015.tif 000002
【特許請求の範囲】
【請求項１】
店舗のＰＯＳレジスター２と紙幣硬貨自動入出金機（ＡＴＭ）３と監視カメラ４とが制御手段５で接続され、売上登録後の精算時にＰＯＳレジスター２からの指示で制御手段５を通して紙幣硬貨自動入出金機（ＡＴＭ）３で支払および釣銭授受の入出金処理ができ、そのＰＯＳレジスター２の売上データと紙幣硬貨自動入出金機３の入出金データ及び動作データ、監視カメラ４の映像データが制御手段５に保管され、かつ通信手段６から通信回線７を通じて、管理センター８に店舗機器の識別情報、POSレジスター２の売上データ、紙幣硬貨自動入出金機（ＡＴＭ）の入出金データと動作データ、映像データ、機器の状態データが送信されることを特徴とする現金管理システム。
【請求項２】
請求項1において、銀行のキャッシュカードによるデビットカード決済を自在とし、カードによる決済金額が買い上げ登録金額より多い場合は、その差額を紙幣硬貨入出金機（ＡＴＭ）３より釣銭としてキャッシュアウトすることを自在とした現金管理システム。
【請求項３】
請求項1において、クレジット会社のクレジットカードによるクレジットカード決済を自在とすると共に、キャッシングも自在としキャッシング利用金額を紙幣硬貨自動入出金機（ＡＴＭ）３からキャッシュアウトを自在とした現金管理システム。
【請求項４】
ＰＯＳレジスター２の操作状況及び紙幣硬貨自動入出金機（ＡＴＭ）３の動作状況を制御手段５に、監視カメラ４による画像データ、ＰＯＳレジスター２の売上データ、紙幣硬貨自動入出金機（ＡＴＭ）３の入出金データと動作データを同時に記憶保管し、同時に通信手段６及び通信回線７を通じて上記各データをリアルタイムで管理センター８に送信し、現金の計数および各機器の動作状況を常に管理センターで確認自在とした管理システム。
【請求項５】
請求項１及び請求項２及び請求項３により、店舗の現金を回収することなく現金管理手段１０によって計数された売上金を資金振替手段１２によって店舗会社口座１９に振込処理を自在とした現金管理システム。
【請求項６】
店舗に設置した各機器に異常動作が発生した場合、管理センター８の画像監視手段９に即座に表示し、状況により警備会社１４に適切な連絡・出動等の対応の選択を自在とした現金管理システム。
【請求項７】
請求項１及び請求項２及び請求項３において、店舗に設置された紙幣硬貨自動入出金機（ＡＴＭ）３に釣銭準備金の不足が生じると思われる場合、店舗から釣銭準備金を紙幣硬貨自動入出金機（ＡＴＭ）３に投入営業を行ない、その投入された釣銭準備金を預り金として管理し、現金管理手段１０及び資金振替手段１２により売上金と合計した金額を店舗口座または店舗本部会社口座に振込自在とした現金管理システム。
【請求項８】
請求項１及び請求項２及び請求項３において、サービスを利用したお客様または店舗から売上登録又は現金授受等に関して問い合せがあった場合、監視カメラ４により撮像された映像を保管した制御手段５により、問い合せの場面の売上データと映像データを検索・表示し、トラブルを軽減する機能を備えたことを特徴とする現金管理システム。
【請求項９】
前記請求項１及び請求項２及び請求項３において、管理センター８で紙幣硬貨自動入出金機（ＡＴＭ）３に収納された現金の量が予め設定した量になったことを検出すると、その収納状態の表示を行なうと共に、前記管理センター８は該当する店舗１の所在を求めて現金回収の指示を現金輸送会社１４に送信することを特徴とする現金管理システム。
【請求項１０】
前項記載の、紙幣硬貨自動入出金機（ＡＴＭ）３の金庫手段は、入金された現金の紙幣と硬貨をそれぞれ収納する交換可能な紙幣金庫カセットと硬貨金庫カセットを備えており、それぞれの金庫カセットがニアフルの状態になった場合、管理センター８から現金輸送会社１５に金庫カセットの回収・交換指示を出し、その回収・交換指示を受けた現金輸送会社１５は、空の交換用の硬貨金庫カセットと紙幣金庫カセットを備えていて、前記指示された店舗の紙幣硬貨自動入出金機（ＡＴＭ）３に装填された各金庫カセットを回収し交換するのみで、現金に一切触れずに回収交換を自在とした現金管理システム。
【発明の詳細な説明】
【技術分野】
【０００１】
本発明は、本発明は店舗における売上現金管理システムに関する。
【背景技術】
【０００２】
従来、店舗等の売上現金の管理は、ＰＯＳレジスターに接続されているキャッシュドロアに一時保管し、精算後当日銀行の貸し金庫へ搬送したり、翌日金融機関に持ち込んで入金するなどによって管理している。実際、売上登録時には人手によって現金の授受を行なっている場合、現金の違算が発生している。また、近年金融機関の貸し金庫が管理の都合上減少し、従来預入れしていた貸し金庫が閉鎖され、店舗より遠い貸し金庫に収めざるをえなくなった他、維持手数料の増額という問題があった。さらに直接金融機関に入金する場合にも現金輸送上の問題、また、振込手数料と現金違算リスクの問題があり、またその他にも、防犯防災の事故が発生し現金の盗難や人身事故などの問題が発生している。
【発明の開示】
【発明が解決しようとする課題】
【０００３】
そこで本発明は、このため、店舗等の売上金管理システムの改善し、店舗のＰＯＳレジスターに紙幣硬貨自動入出金機と監視カメラを連動し、さらに店舗と管理センターを連携して、店舗側の現金の保管、警備及び回収するための売上金を安全確実に管理することが望まれている。
さらに、銀行のキャッシュカードによるデビットカード決済が可能で、デビットカードによる釣銭としてのキャッシュアウト、また、クレジットカード決済も可能であり、さらに、クレジットのキャッシング処理も可能なシステムである。したがって、本システムはＰＯＳレジスターシステムに連動された金融機関の現金自動入出金機（ＡＴＭ）という機能を持ったシステムであるため、売上の現金管理のみならず利用分野が広がり、店舗ではお客様へのサービスがより向上するシステムである。
【課題を解決するための手段】
【０００４】
本発明は、店舗の売上金現金管理に関し、店舗のＰＯＳレジスターに接続した紙幣硬貨自動入出金機に売上金を投入／お釣金の排出をするだけで、紙幣硬貨自動入出金機とネットワークで連動した現金管理センターで、現金の有り高データを得ることができ、自動入出金機に保管された現金を一切店舗側で扱うことなく、翌営業日には現金管理センター側で立替払いを行い、各店舗の本部又は本社の銀行へ自動的かつ確実に資金集中ができること、紙幣硬貨自動入出金機に投入された現金を釣銭やキャッシュアウトにターンアランド処理されることでの、現金管理での効率化を図るようにしたものである。
【発明の効果】
【０００５】
ＰＯＳレジスターに制御手段を介して紙幣硬貨自動入出金機（ＡＴＭ）を接続することにより、人手を介さず現金管理を行なうシステムで、現金授受間違いがなく、従って店舗開店時の釣銭金の管理、店舗閉店精算時の人手による売上金計数の手間を全くなくすことにより、人的および時間的ロスを軽減することができる。
【０００６】
又銀行のキャッシュカードによるデビットカード決済ができ、カードによる決済金額が買い上げ登録金額より多い場合は、その差額を紙幣硬貨入出金機（ＡＴＭ）３より釣銭としてキャッシュアウトすることができる。
【０００７】
クレジット会社のクレジットカードによるクレジットカード決済ができ、またキャッシング利用の場合、その利用金額を紙幣硬貨自動入出金機（ＡＴＭ）からキャッシュアウトすることができる。
【０００８】
又ＰＯＳレジスターの操作状況及び紙幣硬貨自動入出金機（ＡＴＭ）の動作状況、監視カメラ４の作動状況の各々を、売上データ、入出金データ、動作データ、映像データとして制御手段に記憶保管し、同時に通信手段６及び通信回線を通じて上記各データをリアルタイムで管理センターに送信するので、現金の計数および各機器の動作状況を常に管理センターで確認できる。
【０００９】
店舗の現金を回収することなく現金管理手段によって計数された売上金を資金振替手段１２によって店舗会社口座に振込処理をおこなうため、現金の移動を伴わず、安全である。
【００１０】
店舗に設置した各機器に異常動作が発生した場合、管理センターの画像監視手段に即座に表示し、状況により警備会社に適切な連絡・出動等の対応がとれるので、警備的にも安全である。
【００１１】
仮に店舗に設置された紙幣硬貨自動入出金機（ＡＴＭ）に釣銭準備金の不足が生じると思われる場合、店舗から釣銭準備金を紙幣硬貨自動入出金機（ＡＴＭ）に投入して営業を行なうので継続して営業を行うことができ、その投入された釣銭準備金は預り金として管理し、現金管理手段及び資金振替手段により売上金と合計した金額を振込むので迅速な計数処理ができる。
【００１２】
お客様から売上登録又は現金授受等に関して問い合せがあった場合は、監視カメラにより撮像された映像データを保管した制御手段５により、問い合せの場面売上データを検索表示するので、トラブルを迅速に処理できる。
【００１３】
管理センターで紙幣硬貨自動入出金機（ＡＴＭ）３に収納された現金の量が予め設定した量になったことを検出すると、その収納された現金の状態を表示すると共に、前記管理センター８は該当する店舗１の所在を求めて現金回収の指示を現金輸送会社１４に送信するのでスムーズな回収と共に店舗にとっては継続して営業ができる。
【００１４】
紙幣硬貨自動入出金機（ＡＴＭ）の金庫手段は、入金された現金の紙幣と硬貨をそれぞれ収納する交換可能な紙幣金庫カセットと硬貨金庫カセットを備え、前記回収指示を受信した現金輸送会社は、空の交換用の硬貨金庫カセットと紙幣金庫カセットを備え、前記指示された店舗の紙幣硬貨自動入出金機（ＡＴＭ）３の装填された各金庫カセットを交換するのみで、現金に一切触れずに回収交換ができるので、交換作業が簡単にでき、且つ計数合わせなどの面倒な作業がなく作業効率を高める。
【実施例】
【００１５】
図１に本発明の構成を示す。
店舗１側に設置されたＰＯＳレジスター２と紙幣硬貨自動入出金機（ＡＴＭ）３と監視カメラ４とが制御手段５によって接続され、さらに通信手段６と通信回線７によって管理センター８に接続される。
【００１６】
店舗１のＰＯＳレジスター２によって売上が登録され精算処理を実行すると、ＰＯＳレジスターを操作している店員又はお客は紙幣硬貨自動入出金機（ＡＴＭ）３に精算に必要な現金を投入する。投入された金額は紙幣硬貨自動入出金機（ＡＴＭ）３で自動的に計数され、もしお釣が発生する場合そのお釣を自動的に排出するものとする。
【００１７】
また、支払いの手段がカード決済である場合、例えば銀行のキャッシュカードによるデビッド決済の場合、そのカードをカードリーダで読み取り暗証番号を入力し、さらにデータを暗号化し、制御手段５及び通信手段６さらに通信回線７を介して管理センター８に接続し、管理センター８のカード決済手段１１により通信回線１３を通して金融カード会社１６に接続し、カード決済取引が有効か無効かの判断を行なうものとする。この場合、カード決済が無効な時処理を終了し、前記現金による決済を行なうものとする。カード決済が有効な場合、登録された決済金額の金額を決済しもし決済金額が買い上げの金額より多い場合は、その差額を紙幣硬貨自動入出金機（ＡＴＭ）３より釣銭としてキャッシュアウトするものとする。
【００１８】
前記カード決済が、クレジットカードの場合、前記同様の通信手段により管理センター８のカード決済手段１１により、金融カード会社１６に接続し、有効無効のチェックを行ない、無効の場合は前記同様処理を終了し、前記現金決済処理を行ない、有効の場合はカード決済とするものとする。
【００１９】
また、クレジットカードでお客様がキャッシングを希望する場合も対応できるものとし、前記同様の通信手段により管理センター８のカード決済手段１１により、金融カード会社１６に接続し、有効無効のチェックを行ない、無効の場合は前記同様処理を終了する。有効の場合はキャッシングの利用金額を、紙幣硬貨自動入出金機（ＡＴＭ）３よりキャッシュアウトする。
【００２０】
前記の一連の操作、及び状況は店舗に設置された監視カメラ４によって制御手段５の装置に各取引時点の売上データともに映像データが保管される。
【００２１】
紙幣硬貨自動入出金機（ＡＴＭ）３および監視カメラ４の入出金データ、機器データ、および映像データは制御手段５によって、通信手段６及び通信回線７を通じて管理センター８に送信される。管理センター８では、上記送信されてきた入出金データ、機器データ及び映像データを、それぞれ管理センター８内で管理している画像監視手段９及び現金管理手段１０に記憶し管理する。
【００２２】
管理センター８では、ＰＯＳレジスター２の精算情報を受信すると、現金管理手段１０により計数された売上金を計算し、その計数された売上金を資金振替手段１２により金融機関１７を通して管理センター口座１６に振込む。さらに管理センター口座１８からは店舗会社口座１９に振込み処理が行われる振込手段を備える。
【００２３】
また現金管理手段１０により店舗に設置された紙幣硬貨自動入出金機（ＡＴＭ）３の紙幣金庫カセットまたは硬貨金庫カセットがフルの状態を確認した場合、現金管理手段１０より通信回線１３を通じて現金輸送会社１５にその旨を連絡し、現金輸送会社１５はその内容に基づき当該店舗に赴き紙幣金庫カセットまたは硬貨金庫カセットを回収し、空の紙幣金庫カセットまたは硬貨の金庫カセットを設置自在としてある。
【００２４】
また監視カメラ４又は紙幣硬貨自動入出金機（ＡＴＭ）３より、異常情報が画像監視手段９又は現金管理手段１０に報告された場合、通信回線１３を通じて警備会社１４ににその情報を送信し、異常を発生した当該の店舗へ警備会社の担当者を出動派遣するものとする。
【図面の簡単な説明】
【００２５】
【図１】本発明に係る現金管理システムの構成図。
【符号の説明】
【００２６】
１  店舗
２  POSレジスター
３  紙幣硬貨自動入出金機（ATM）
４  監視カメラ
５  制御手段
６  通信手段
７  通信回線
８  管理センター
９  画像監視手段
１０  現金管理手段
１１  カード決済手段
１２  資金振替手段
１３  通信回線
１４  警備会社
１５  現金輸送会社
１６  金融カード会社
１７  金融機関
１８  管理センター口座
１９  店舗会社口座
２０  店舗会社
【図１】
2006155015.tif 000003